(57)【特許請求の範囲】
【請求項１】
印刷手段から搬送された印刷用紙を、開口部である排紙口から、印刷用紙を積載する排紙台へ排紙する排紙手段と、
前記排紙手段が印刷用紙を前記排紙台へ排紙する排紙位置と、該排紙位置の下方であり、前記開口面積を大きくするジャム解除位置との間で昇降されることにより、前記排紙口の開口面積を可変させる開口面積可変手段とを備え、
前記開口面積可変手段は、
排紙装置の筐体に固定された固定部に対して、回転軸を中心に回動自在に取り付けられた一対の支持部材と、
前記一対の支持部材を回動するように前記一対の支持部材に取り付けられたリンク部材と、
前記固定部と前記リンク部材とに取り付けられた回動レバーとを有する
ことを特徴とする排紙装置。
【請求項２】
前記開口面積可変手段は、
前記一対の支持部材が起立状態にある場合には前記排紙位置に位置し、前記一対の支持部材が傾倒状態にある場合には前記ジャム解除位置に位置する
ことを特徴とする請求項１記載の排紙装置。
【発明の詳細な説明】
【技術分野】
【０００１】
本発明は、印刷された印刷用紙を積載するための排紙装置に関する。
【背景技術】
【０００２】
一般的に、製版された孔版原紙をドラムに巻き付けた後、印刷用紙をこのドラムに給紙し、この供給された印刷用紙をプレスローラによりドラムに圧接することにより印刷を行う孔版印刷装置が良く知られている。
【０００３】
また、昨今、例えばＡ２サイズのような大型の用紙を印刷することが可能な孔版印刷装置が普及し始めている。このような大型の用紙を印刷可能な孔版印刷装置は、ドラムのサイズも当然に大型になるので、ドラム付近で紙詰まりが発生した場合に、ドラムを引き抜いても、利用者の手が届かず、これにより詰まった用紙を取り除くことができないという課題があった。
【０００４】
そのため、ドラム付近で紙詰まりが生じた場合、利用者は、印刷用紙を排紙台へと導く排紙経路である排紙開口部から印刷装置の内部に手を入れ、詰まった印刷用紙を引っ張り出すといった作業を行っていた。その際に、排紙開口部を大きくすることで、利用者にとって、手を入れ易く作業性を向上したいと要望される反面、装置内部で発生する騒音が漏れ易くなるという課題もあった。
【０００５】
そこで、特許文献１には、排紙開口部の上部に設けられ、横開き状態で開閉可能に支持された排版部が提案されている。
【先行技術文献】
【特許文献】
【０００６】
【特許文献１】特開２００６−３２１０７６号公報
【発明の概要】
【発明が解決しようとする課題】
【０００７】
しかしながら、特許文献１に記載の排版部では、利用者が詰まった印刷用紙を引っ張り出す際、横開き状態で開放された排版部は、利用者から見て手前にせり出しているので、紙詰まり除去作業の妨げになるという課題があった。
【０００８】
本発明は、上記課題に鑑みてなされたものであり、装置外部に漏れる印刷時の騒音を低減しつつ、紙詰まりの際には、紙詰まり除去作業の妨げになることなく簡単に紙詰まりを除去できる排紙装置を提供することを目的とする。
【課題を解決するための手段】
【０００９】
上記目的を達成するため、本発明に係る排紙装置の第１の特徴は、印刷手段から搬送された印刷用紙を、開口部である排紙口から、印刷用紙を積載する排紙台へ排紙する排紙手段と、前記排紙口の開口面積を可変させる開口面積可変手段とを備えたことにある。
【００１０】
本発明に係る排紙装置の第２の特徴は、前記開口面積可変手段は、前記排紙手段が印刷用紙を前記排紙台へ排紙する排紙位置と、該排紙位置の下方であり、前記開口面積を大きくするジャム解除位置との間で昇降させることにある。
【発明の効果】
【００１１】
本発明に係る排紙装置の第１の特徴によれば、排紙口の開口面積を可変させるので、装置外部に漏れる印刷時の騒音を低減しつつ、紙詰まりが発生した際には、装置外に迫り出す箇所が無く紙詰まり除去作業の妨げにならないので、簡単に紙詰まりを除去することができる。
【００１２】
本発明に係る排紙装置の第２の特徴によれば、排紙手段が印刷用紙を排紙台へ排紙する排紙位置と、排紙位置の下方であり、開口面積を大きくするジャム解除位置との間で昇降させるので、複雑な操作を行うことなく、簡易に排紙位置とジャム解除位置と切り替えることができるので、早期に紙詰まり除去作業の着手が可能となり、紙詰まり除去後は、早期に印刷処理を再開することができる。
【図面の簡単な説明】
【００１３】
【図１】本発明の実施例１に係る両面孔版印刷装置の構成を示した構成図である。
【図２】本発明の実施例１に係る両面孔版印刷装置の内部構成を示した射視図である。
【図３】本発明の実施例１に係る両面孔版印刷装置が備える排紙部の側面図である。
【図４】本発明の実施例１に係る両面孔版印刷装置が備える昇降部材の上昇及び下降の動作を説明した図である。（ａ）は、排紙ユニットが排紙位置にあるときの正面図であり、（ｂ）は、排紙ユニットが排紙位置からジャム解除位置へ移動している途中の正面図であり、（ｃ）は、排紙ユニットがジャム解除位置にあるときの正面図である。
【図５】本発明の実施例２に係る両面孔版印刷装置が備える排紙ユニット付近の斜視図である。
【発明を実施するための形態】
【００１４】
本発明を実施するための形態について以下に説明する。
【実施例１】
【００１５】
本発明の実施例１では、原稿から画像を読み込み、この読み込んだ画像に基づいて、孔版原紙が巻装された上流側のドラムにより印刷用紙（印刷媒体）の表面を印刷し、孔版原紙が巻装された下流側のドラムにより印刷用紙の裏面を印刷する２ドラム式の両面孔版印刷装置に適用された排紙装置を例に挙げて説明する。
【００１６】
＜両面孔版印刷装置の構成＞
本発明の実施例１に係る両面孔版印刷装置の構成について説明する。
【００１７】
図１は、本発明の実施例１に係る両面孔版印刷装置の構成を示した構成図である。
【００１８】
図１に示すように、両面孔版印刷装置１は、画像読み取り部２と、給紙部３と、第１の印刷部４と、第２の印刷部５と、製版部６（排紙装置）と、第１の排版部８と、第２の排版部９と、反転部１０と、排紙部１１とを備えている。
【００１９】
画像読み取り部２は、両面孔版印刷装置１の上部に設けられ、図示しないコンタクトガラス上に載置された原稿から画像データを読み取る。
【００２０】
製版部６は、画像読み取り部２により読み取られた画像データに基づいて孔版原紙を加熱穿孔することにより製版を行う。なお、製版部６は、図示しないレールによって図１におけるＸ方向に移動自在に支持されており、後述する第１の印刷部４に製版した孔版原紙を供給する破線で示した位置と、後述する第２の印刷部５に製版した孔版原紙を供給する実線で示した位置とを選択的に占める。
【００２１】
第１の排版部８は、後述する第１の印刷部４の第１のドラム４１の外周面よりクランプ解除された孔版原紙を第１のドラム４１より引き剥がし、引き剥がされた孔版原紙を排版ボックス（図示しない）内に収納する。また、第２の排版部９は、第１の排版部８と同様の構成を有する。
【００２２】
給紙部３は、印刷用紙Ｗが積層される給紙台３１と、この給紙台３１から最上位置の印刷用紙Ｗのみを搬送させる１次給紙ロール３２と、この１次給紙ロール３２によって搬送された印刷用紙Ｗを後述する第１の印刷部４の第１のドラム４１の回転に同期して第１のドラム４１と第１のプレスローラ４３間に搬送する一対の２次給紙ロール３３とを有する。
【００２３】
第１の印刷部４は、メインモータ（図示しない）の駆動力によって図１の矢印Ａ方向に回転する第１のドラム４１と、この第１のドラム４１の外周面に設けられ、孔版原紙の先端をクランプする原紙クランプ部４２と、印刷用紙Ｗを反転部１０へ搬送する搬送ベルト４４と、第１のドラム４１の下方位置に配置された第１のプレスローラ４３とを備えている。
【００２４】
そして、第１のドラム４１の回転に同期して給紙部３より給紙される印刷用紙Ｗを第１のプレスローラ４３で第１のドラム４１に巻装された第１の孔版原紙に押圧することによって、第１の孔版原紙の穿孔からインクが押し出されて画像が印刷装置Ｗの表面に印刷されるようになっている。
【００２５】
第１のプレスローラ４３が第１のドラム４１に押圧することによって画像が印刷された印刷用紙Ｗは、両端が一対の回転軸に巻きかけられた環状の搬送ベルト４４によって反転部１０に搬送される。
【００２６】
反転部１０は、第１の印刷部４に対して印刷用紙Ｗの搬送方向下流側に配置され、多孔構造に形成された環状の反転ベルト１０１が半円形状に配置されている。この反転ベルト１０１は、半円形状の補助部材１０２と一対のローラ１０３，１０４に巻きかけられ、一対のローラ１０３，１０４のうち少なくとも一方のローラが駆動モータ（不図示）で回転駆動される。反転ベルト１０１の内部には、吸引ファン１０５が設けられ、印刷用紙Ｗを反転ベルト１０１側に吸引する。これにより印刷用紙Ｗを吸引しながら表裏を反転し、積載台１０６に印刷用紙Ｗを搬送する。
【００２７】
積載台１０６に複数枚積載された印刷用紙Ｗは、中間搬送ベルト１０７，一対のローラ１０９によって第２の印刷部５に搬送される。
【００２８】
第２の印刷部５は、第１の印刷部４と同様に、第２のドラム５１の回転に同期して一対の２次給紙ロール５４より給紙される印刷用紙Ｗを第２のプレスローラ５３で第２のドラム５１に巻装された第２の孔版原紙に押圧することによって、第２の孔版原紙の穿孔からインクが押し出されて画像が印刷用紙Ｗの裏面に印刷されるようになっている。
【００２９】
排紙部１１は、印刷された印刷用紙Ｗが搬送される排紙ユニット１１１と、排紙ユニットを昇降する昇降部材１１３と、排紙ユニット１１１より排紙される印刷用紙Ｗが積置される排紙台１１２と、を有する。
【００３０】
図２は、本発明の実施例１に係る両面孔版印刷装置１の内部構成を示した射視図である。
【００３１】
図２に示すように、両面孔版印刷装置１は、排紙ユニット１１１を備えており、この排紙ユニットの印刷用紙Ｗの搬送方向における後端の上方には、両面孔版印刷装置１の筐体に開口フレーム１１５が固定されている。
【００３２】
これにより、排紙ユニット１１１と開口フレーム１１５とにより開口部である排紙口１３０が形成され、この排紙口１３０から、第２の印刷部５により印刷された印刷用紙Ｗが、排紙台１１２へ排紙される。
【００３３】
ここで、第２のドラム５１と第２のプレスローラ５３との圧接点近傍で紙詰まりが発生したとき、利用者は、この排紙口１３０から手を挿入して、紙詰まりとなっている印刷用紙Ｗを取り除く必要がある。
【００３４】
このとき、排紙口１３０の排紙方向に直交する面における開口面積が小さいと、利用者はこの排紙口１３０から手を挿入し難く、挿入できたとしても、狭いので紙詰まり除去作業の妨げになる。
【００３５】
一方、排紙口１３０排紙口１３０の排紙方向に直交する面における開口面積が大きくすると、印刷時に、第２のドラム５１と第２のプレスローラ５３とが圧接したりすることにより発生する騒音がこの排紙口１３０から漏れる。
【００３６】
そこで、本発明の実施例１に係る両面孔版印刷装置１では、印刷時には、排紙口１３０の排紙方向に直交する面における開口面積を相対的に小さくし、紙詰まり除去作業時には、排紙口１３０の排紙方向に直交する面における開口面積を相対的に大きくできるように、昇降部材１１３が排紙ユニット１１１を昇降することにより、排紙口１３０の開口面積を可変とする。
【００３７】
図３は、本発明の実施例１に係る両面孔版印刷装置１が備える排紙部１１（排紙装置）の側面図である。
【００３８】
図３に示すように、排紙部１１の排紙ユニット１１１は、第２の印刷部５に対して印刷用紙Ｗの搬送方向下流側に配置された多孔構造に形成された環状の搬送ベルト１２３を有している。
【００３９】
搬送ベルト１２３は、一対のローラ１２１，１２２に巻きかけられ、一対のローラ１２１，１２２のうち少なくとも一方のローラが駆動モータ（不図示）で回転駆動される。搬送ベルト１２３の内部には、吸引ファン１２４が設けられ、印刷用紙Ｗを搬送ベルト１２３側に吸引する。これにより、印刷用紙Ｗは、搬送ベルト１２３側に吸引されながら、Ｆ方向へ搬送され、排紙口１３０から排紙台１１２へ排紙される。
【００４０】
また、排紙部１１は、排紙ユニット１１１の後端上方に設けられた開口フレーム１１５と排紙ユニット１１１とにより形成される排紙口１３０の開口面積を変化させるように、排紙ユニット１１１を上昇又は下降させる昇降部材１１３を備えている。
【００４１】
昇降部材１１３は、Ｈ１方向に上昇して実線で示した位置（このときの排紙ユニット１１１の位置を排紙位置といい、このときの排紙ユニット１１１の高さを第１の高さという）と、Ｈ２方向に下降して破線で示した位置（このときの排紙ユニット１１１の位置をジャム解除位置といい、このときの排紙ユニット１１１の高さを第２の高さという）とを、選択的に占める。
【００４２】
排紙ユニット１１１は、支持軸１２６に上方から掛合されており、昇降部材１１３がＨ２方向に下降することにより、破線で示した第２の高さになるまで支持軸１２６を回動軸としてＧ２方向に回動する。
【００４３】
また、昇降部材１１３がＨ１方向に上昇することにより、排紙ユニット１１１は、実線で示した第１の高さになるまで支持軸１２６を回動軸としてＧ１方向に回動する。
【００４４】
図４は、本発明の実施例１に係る両面孔版印刷装置１が備える昇降部材１１３の上昇及び下降の動作を説明した図である。（ａ）は、排紙ユニット１１１が排紙位置にあるときの正面図であり、（ｂ）は、排紙ユニット１１１が排紙位置からジャム解除位置へ移動している途中の正面図であり、（ｃ）は、排紙ユニット１１１がジャム解除位置にあるときの正面図である。
【００４５】
図４（ａ）〜（ｃ）に示すように、昇降部材１１３は、両面孔版印刷装置１の筐体に固定された固定部１１６に対して、第１の回転軸Ｐ１を中心に回動自在に取り付けられた一対の支持部材１１３ａ，１１３ｂと、この一対の支持部材１１３ａ，１１３ｂを回動するように、第２の回動軸Ｐ２を中心に回動自在に取り付けられたリンク部材１１３ｃとを備えている。
【００４６】
また、昇降部材１１３は、固定部１１６とリンク部材１１３ｃとに回動自在に取り付けられた回動レバー１１３ｄを備えている。
【００４７】
図４（ａ）に示すように、支持部材１１３ａ，１１３ｂが起立した状態にある場合には、固定部１１６から排紙ユニット１１１までの高さがＬ１となっている。これにより、支持部材１１３ａ，１１３ｂ上に載置された排紙ユニット１１１は、相対的に高い第１の高さに位置することになる。即ち、排紙ユニット１１１は、排紙位置に位置する。
【００４８】
そして、利用者が、回動レバー１１３ｄを第３の回動軸Ｐを中心にＪ方向へ回動させると、図４（ｂ）に示すように、支持部材１１３ａ，１１３ｂはＫ方向へ傾倒し、図４（ｃ）に示すように、排紙ユニット１１１がジャム解除位置に到達する。
【００４９】
支持部材１１３ａ，１１３ｂが傾倒した状態にある場合には、固定部１１６から排紙ユニット１１１の高さはＬ１より低いＬ２となっている。これにより、支持部材１１３ａ，１１３ｂ上に載置された排紙ユニット１１１は、相対的に低い第２の高さに位置することになる。即ち、排紙ユニット１１１は、ジャム解除位置に位置する。
【００５０】
また、上記説明した図４（ａ）〜（ｃ）の逆の手順を行うことにより、排紙ユニット１１１をジャム解除位置から排紙位置へ移動させることも当然に可能である。
【００５１】
以上のように、本発明の実施例１に係る両面孔版印刷装置１によれば、第２のドラム５１と第２のプレスローラ５３とにより搬送された印刷用紙Ｗを、開口部である排紙口１３０から、印刷用紙Wを積載する排紙台１１２へ排紙する排紙ユニット１１１と、排紙口１３０の排紙方向に直交する面における開口面積を可変するために、排紙ユニット１１１の位置を可変させる昇降部材１１３とを備えるので、装置外部に漏れる印刷時の騒音を低減しつつ、紙詰まりが発生した際には、装置外に迫り出す箇所が無く紙詰まり除去作業の妨げにならないので、簡単に紙詰まりを除去することができる。
【００５２】
なお、本発明の実施例１では、利用者が、回動レバー１１３ｄを第３の回動軸Ｐを中心に回動させることにより、排紙ユニット１１１を第１の高さ又は第２の高さのいずれかの位置を選択的に占める両面孔版印刷装置１を例に挙げて説明したが、これに限らない。
【００５３】
例えば、モータなどの駆動装置を備え、駆動装置の駆動により回動レバー１１３ｄを第３の回動軸Ｐ３を中心に回動させることにより、排紙ユニット１１１を第１の高さ又は第２の高さのいずれかの位置を選択的に占める構成としてもよい。
【００５４】
また、本発明の実施例１では、固定部１１６とリンク部材１１３ｃとに回動自在に取り付けられた回動レバー１１３ｄを備えた両面孔版印刷装置１を例に挙げて説明したが、これに限らない。
【００５５】
例えば、回動レバー１１３ｄの代わりにダイヤルを備えるようにしてもよいし、回動レバー１１３ｄを取り外し、利用者が、直接、リンク部材１１３ｃを掴んで左右方向に移動させることにより、昇降部材１１３を昇降させ、排紙ユニット１１１を第１の高さ又は第２の高さのいずれかの位置を選択的に占める構成としてもよい。
【実施例２】
【００５６】
本発明の実施例１では、昇降部材１１３が昇降することにより、排紙ユニット１１１が第１の高さ又は第２の高さのいずれかの位置を選択的に占める両面孔版印刷装置１を例に挙げて説明したが、これに限らない。
【００５７】
本発明の実施例２では、利用者が、直接的に排紙ユニット１１１を昇降させることにより、排紙ユニット１１１が第１の高さ又は第２の高さのいずれかの位置を選択的に占める両面孔版印刷装置１を例に挙げて説明する。
【００５８】
図５は、本発明の実施例２に係る両面孔版印刷装置１Ａが備える排紙ユニット１１１付近の斜視図である。
【００５９】
図５に示すように、両面孔版印刷装置１Ａは、本発明の実施例１に係る両面孔版印刷装置１と同様に、排紙ユニット１１１を備えており、排紙ユニット１１１は、支持軸１２６に上方から掛合されており、第１の高さ又は第２の高さのいずれかの位置まで支持軸１２６を回動軸として回動する。
【００６０】
また、排紙ユニット１１１の下方には、排紙ユニット１１１が第２の高さとなるように、支持台１３７が両面孔版印刷装置１Ａの筐体に固定されている。
【００６１】
さらに、排紙ユニット１１１には、固定穴１１１ａ，１１１ｂが設けられている。そして、ピン１３５，１３６を、両面孔版印刷装置１Ａの筐体の固定フレーム１３１，１３２に設けられた貫通穴から貫通させて、それぞれ固定穴１１１ａ，１１１ｂに挿入されることにより、排紙ユニット１１１は、第１の高さで支持される。
【００６２】
これにより、排紙ユニット１１１は、第１の高さ又は第２の高さのいずれかの位置を選択的に占めることができる。
【００６３】
以上のように、本発明の実施例２に係る両面孔版印刷装置１Ａによれば、利用者が、直接的に、排紙ユニット１１１を昇降させることにより、排紙ユニット１１１が第１の高さ又は第２の高さのいずれかの位置を選択的に占めるので、より簡易な構成で、紙詰まり除去作業の妨げになることなく、紙詰まりを除去できる。
【００６４】
また、本発明の実施例１〜２では、孔版原紙が巻装された上流側のドラムにより印刷用紙Ｗの表面を印刷し、孔版原紙が巻装された下流側のドラムにより印刷用紙の裏面を印刷する２ドラム式の両面孔版印刷装置１を例に挙げて説明したが、１ドラム式の孔版印刷装置であってもよい。
【００６５】
さらに、本発明は、孔版印刷装置に限らず、ライン単位で印刷を行うインクジェット方式のライン型の画像形成装置や、レーザ方式の画像形成装置にも適用できる。
【符号の説明】
【００６６】
１，１Ａ…両面孔版印刷装置
２…画像読み取り部
３…給紙部
４…第１の印刷部
５…第２の印刷部
６…製版部
８…第１の排版部
９…第２の排版部
１０…反転部
１１…排紙部
４１…第１のドラム
４３…第１のプレスローラ
５１…第２のドラム
５３…第２のプレスローラ
１１１…排紙ユニット（排紙手段）
１１１ａ，１１１ｂ…固定穴
１１２…排紙台
１１３…昇降部材（開口面積可変手段）
１１３ａ，１１３ｂ…支持部材
１１３ｃ…リンク部材
１１３ｄ…回動レバー
１１５…開口フレーム
１１６…固定部
１２１，１２２…ローラ
１２３…搬送ベルト
１２４…吸引ファン
１２６…支持軸
１３０…開口部
１３１，１３２…固定フレーム
１３５，１３６…ピン
１３７…支持台
【図１】
0005848522.tif 000002
【図２】
0005848522.tif 000003
【図３】
0005848522.tif 000004
【図４】
0005848522.tif 000005
【図５】
0005848522.tif 000006